(57)【要約】  カバーの伸縮に起因する長期的な信頼性の低下を抑制することを可能とする照明装置を提供する。カバー（１）と第１サイドカバー（１２）とが並ぶ第１方向において、カバー（１）の一端（１６）と第１サイドカバー（１２）との間に第１隙間（１７）が形成されている。
2016052481.tif 000002
【特許請求の範囲】
【請求項１】
光源と、
上記光源が実装される光源実装基板と、
上記光源実装基板が固定され、上記光源から出射される光を反射する反射板と、
上記光源を被覆するカバーと、
上記カバーと上記反射板とによって規定される開口部分の一端を覆う第１サイドカバーと、
上記カバーと上記反射板とによって規定される開口部分の他端を覆う第２サイドカバーとを備えており、
上記カバーと上記第１サイドカバーとが並ぶ第１方向において、上記カバーの一端と上記第１サイドカバーとの間に第１隙間が形成されていることを特徴とする光源格納部材。
【請求項２】
上記カバーと上記第２サイドカバーとが並ぶ第２方向において、上記カバーの他端と上記第２サイドカバーとの間に第２隙間が形成されていることを特徴とする請求項１に記載の光源格納部材。
【請求項３】
上記カバーと上記第２サイドカバーとが並ぶ第２方向において、上記カバーの他端と上記第２サイドカバーとの間に隙間が形成されていないことを特徴とする請求項１に記載の光源格納部材。
【請求項４】
上記カバーは、ポリカーボネート樹脂またはアクリル樹脂からなることを特徴とする請求項１から３のいずれか１項に記載の光源格納部材。
【請求項５】
上記第１サイドカバーは、上記光源格納部材が取り付けられる電源格納部に対する上記第１サイドカバーの位置を規定する第１位置決め部材を備えていることを特徴とする請求項１から４のいずれか１項に記載の光源格納部材。
【発明の詳細な説明】
【技術分野】
【０００１】
本発明は、光源を格納する光源格納部材に関する。
【背景技術】
【０００２】
複数のＬＥＤ（Light Emitting Diode：発光ダイオード）からなる光源を格納する光源格納部を覆うカバーを備えた照明装置が、特許文献１および２に開示されている。【０００３】
特許文献１には、ＬＥＤを覆うカバーの天井面および側面が一体となっている構造が開示されている。この一体形成されたカバーは、アクリル樹脂を用いて形成されている。【０００４】
特許文献２には、カバーと、このカバーの長手方向端部を塞ぐ蓋体とを有している構造が開示されている。
【先行技術文献】
【特許文献】
【０００５】
【特許文献１】日本国特許公報「特許第５３６４０４２号公報（２０１３年１２月１１日発行）」
【特許文献２】日本国公開特許公報「特開２０１３−１７９０１３号公報（２０１３年９月９日公開）」
【発明の概要】
【発明が解決しようとする課題】
【０００６】
例えばアクリル樹脂をカバーに用いた場合、温度変化によりこのカバーが膨張収縮する。例えば、カバーの長さが現在主流の約１２００ｍｍである場合、３０℃ほどの温度変化によって、このカバーに約０．５ｍｍ〜２ｍｍ程度の伸縮が発生する。特に、寒冷地では、夜間に照明装置を消灯することによってカバーが冷え、伸縮の量が増大するケースも考えられる。【０００７】
この伸縮に起因して、カバーおよび／またはこのカバーが固定される器具本体側に歪みが生じ、この結果、照明装置の長期的な信頼性が低下する虞があるという問題が発生する。特許文献１および２に開示されている構造では、このような問題への対策が十分になされていない。【０００８】
本発明は、上記の課題に鑑みて為されたものであり、その目的は、カバーの伸縮に起因する長期的な信頼性の低下を抑制することを可能とする光源格納部材を提供することにある。
【課題を解決するための手段】
【０００９】
上記の課題を解決するために、本発明の一態様に係る光源格納部材は、光源と、上記光源が実装される光源実装基板と、上記光源実装基板が固定され、上記光源から出射される光を反射する反射板と、上記光源を被覆するカバーと、上記カバーと上記反射板とによって規定される開口部分の一端を覆う第１サイドカバーと、上記カバーと上記反射板とによって規定される開口部分の他端を覆う第２サイドカバーとを備えており、上記カバーと上記第１サイドカバーとが並ぶ第１方向において、上記カバーの一端と上記第１サイドカバーとの間に第１隙間が形成されていることを特徴としている。
【発明の効果】
【００１０】
本発明の一態様によれば、カバーの伸縮に起因する長期的な信頼性の低下を抑制することが可能となる。
【図面の簡単な説明】
【００１１】
【図１】本発明の実施の形態１に係る照明装置の構成を示す斜視図である。
【図２】図１に示される照明装置の詳細構成を示す図であって、（ａ）は正面図であり、（ｂ）は側面図であり、（ｃ）は上面図である。
【図３】図３の（ａ）〜（ｄ）は、図１に示される照明装置の電源格納部の構成を示す図である。
【図４】図４の（ａ）〜（ｅ）は、図１に示される照明装置の光源格納部の構成を示す図である。
【図５】図１に示される照明装置のカバーおよび複数のサイドカバーの構成を示す正面図であって、（ａ）はカバーに複数のサイドカバーを取り付ける前の図であり、（ｂ）はカバーに複数のサイドカバーを取り付けた後の図である。
【図６】図６の（ａ）は、第１位置決め部材と反対側から見た、第１隙間およびその近傍の写真であり、図６の（ｂ）は、第２位置決め部材側から見た、第２隙間およびその近傍の写真である。
【図７】複数の従来の照明装置を各照明装置の長手方向に連接した状態と、複数の図１に示された照明装置を各照明装置の長手方向に連接した状態とを比較する図である。
【図８】第１位置決め部材および第２位置決め部材を用いて、光源格納部を電源格納部に取り付ける前の図であって、（ａ）は正面図であり、（ｂ）は立体斜視図である。
【図９】図９の（ａ）は、第１位置決め部材の写真であり、図９の（ｂ）は、第１位置決め部材を穴に挿入する前の写真であり、図９の（ｃ）は、第１位置決め部材を穴に挿入した後の写真である。
【図１０】上記光源格納部の構造を示す断面図である。
【図１１】図４に示される光源格納部のサイドカバーの構成を示す斜視図である。
【図１２】図１１に示されるサイドカバーの詳細構成を示す上面図・正面図・下面図・側面図・断面図である。
【図１３】図４に示される光源格納部のカバーの構成を示す斜視図である。
【図１４】図１３に示されるカバーの詳細構成を示す側面図・正面図である。
【発明を実施するための形態】
【００１２】
〔実施の形態１〕
本発明の実施の形態１について、図１〜図６に基づき説明する。
【００１３】
≪照明装置の構成≫
図１は、本実施の形態に係る照明装置２０の構成を示す斜視図である。
【００１４】
図１に示されるように、照明装置２０は、電源格納部３０と、光源格納部（光源格納部材）４０とを備える。照明装置２０は、その電源格納部３０側を所定の部材（例えば天井）に装着される。
【００１５】
図２は、図１に示される照明装置２０の詳細構成を示す図であって、（ａ）は正面図であり、（ｂ）は側面図であり、（ｃ）は上面図である。
【００１６】
図２の（ａ）に示されるように、電源格納部３０と、光源格納部４０とは、互いに接続されている。電源格納部３０には、３個の解除穴３１が設けられている。解除穴３１は、電源格納部３０と光源格納部４０との接続の解除に利用される。
【００１７】
図２の（ｂ）に示されるように、電源格納部３０は、ノックアウト３２を備える。ノックアウト３２を打つまたは切ることにより、電源格納部３０の内部に通じる穴を設けることができる。
【００１８】
図２の（ｃ）に示されるように、電源格納部３０は、複数の突起部３３と、突出部３４とをさらに備える。電源格納部３０には、複数の取付穴３５と、複数の配線穴３６とがさらに設けられている。取付穴３５は、照明装置２０を所定の部材に取り付けるために利用される。配線穴３６は、照明装置２０の内部に配線を引き込むために利用される。
【００１９】
（電源格納部）
電源格納部３０は、照明装置２０の光源に電力を供給する電源部（電源）８を格納する。
【００２０】
図３は、図１に示される照明装置２０の電源格納部３０の構成を示す図であって、（ａ）は正面図であり、（ｂ）は（ａ）に示される範囲Ａの底面図であり、（ｃ）は（ａ）に示される範囲Ｂの底面図であり、（ｄ）は範囲Ｂの上面図である。なお、電源格納部３０の、光源格納部４０に対向する側を底面とし、この底面の反対側を上面としている。
【００２１】
図３の（ａ）に示されるように、電源格納部３０は、本体シャーシ７と、電源端子台９と、調光端子台１０と、複数のバネ受け部１１とをさらに備える。
【００２２】
電源部８は、電源格納部３０の、突出部３４が設けられた位置（図３の（ａ）において斜線で示される位置）に格納される。具体的には、突出部３４は、電源格納部３０の内面において凹部になっている。そして、電源部８は、この凹部に格納される。
【００２３】
図３の（ｂ）に示されるように、電源格納部３０は、第１配線３９をさらに備える。配線３９の一端は、電源部８に接続されている。また、配線３９の他端には、コネクタ３９１が取り付けられている。電源部８は、交流電圧を受け、この配線３９を介し直流電圧を後述のＬＥＤに供給する。
【００２４】
図３の（ｃ）に示されるように、電源端子台９と、調光端子台１０とは、本体シャーシ７に取り付けられている。上述の突起部３３と、突出部３４とは、本体シャーシ７に設けられている。電源端子台９および調光端子台１０は、それぞれ、電源部８に配線で接続されている。
【００２５】
図３の（ｃ）〜（ｄ）に示されるように、配線穴３６の縁に、絶縁キャップ３６１が取り付けられている。これにより、電線が金属製の本体シャーシ７で擦れてショートすることを防止できる。特に、突起３３により、本体シャーシ７と、照明装置２０が装着される部材（天井など）との間に隙間が形成される場合には、上述の交流電線（配線穴３６を通る電線）は、この隙間を動きやすい。この場合にも、絶縁キャップ３６１は、上述のショートを有効に防止できる。この電線は、例えば、ＶＶＦ（Vinyl insulated Vinyl sheeted Flat-type）線である。また、電線には、アース線も含まれる。
【００２６】
（光源格納部）
電源格納部３０には、光源格納部４０が取り付けられている。光源格納部４０は、１つまたは複数のＬＥＤ（光源）が実装されたＬＥＤ実装基板（光源実装基板）を格納している。
【００２７】
図４は、図１に示される照明装置２０の光源格納部４０の構成を示す図であって、（ａ）は正面図であり、（ｂ）は（ａ）に示される範囲Ｃの上面図であり、（ｃ）は（ｂ）においてサイドカバー２が外された状態を示し、（ｄ）は範囲Ｃの斜視図であり、（ｅ）は（ｄ）においてサイドカバー２が外された状態を示す。なお、光源格納部４０の、電源格納部３０に対向する側を上面としている。
【００２８】
図４の（ａ）に示されるように、光源格納部４０は、カバー１と、複数のサイドカバー２と、反射板３と、ＬＥＤ実装基板４と、複数のバネ部５と、複数の落下防止ヒモ６とを備える。
【００２９】
サイドカバー２は、光源格納部４０の両端を覆っている。より具体的に、複数のサイドカバー２の１つ（第１サイドカバー）は、光源格納部４０の一端を覆っており、複数のサイドカバー２の別の１つ（第２サイドカバー）は、光源格納部４０の他端を覆っている。
【００３０】
ＬＥＤ実装基板４は、ＬＥＤが被覆されるようにカバー１に覆われており、かつ、ＬＥＤから出射される光を反射する反射板３に固定されている。
【００３１】
バネ部５は、上述のバネ受け部１１に接続・固定されることにより、光源格納部４０を電源格納部３０に接続・固定する。さらに、バネ部５は、カバー１と反射板３との位置関係を固定している。
【００３２】
（電気的接続）
図４の（ｂ）・（ｄ）に示されるように、光源格納部４０は、第２配線４９（直流電圧供給線）を備える。この第２配線４９の一端は、後述するようにＬＥＤ実装基板４（ＬＥＤ）から引き出されている。また、第２配線４９の他端には、コネクタ４９１が取り付けられている。そして、コネクタ４９１と、上述のコネクタ３９１とが接続されることにより、ＬＥＤ実装基板４と、電源部８とが、電気的に接続される。すなわち、ＬＥＤは、電源格納部３０に格納された電源部８と配線によって電気的に接続されている。具体的には、電源格納部３０は、電源部８から引き出された第１配線３９を有する一方、光源格納部４０は、ＬＥＤ実装基板４（ＬＥＤ）から引き出された第２配線４９を有している。また、第１配線３９と第２配線４９とは、それぞれコネクタを有しており、これらのコネクタが接続されることにより、電気的に接続される。
【００３３】
ここで、サイドカバー２と反射板３との間には、第２配線４９を通す穴（隙間）が設けられている。また、図４の（ｃ）・（ｅ）に示されるように、反射板３の範囲Ｄには、開口部が設けられている。ＬＥＤ実装基板４は、この開口部からサイドカバー２側に露出している。そして、第２配線４９は、この隙間と開口部とを介し、ＬＥＤ実装基板４に接続されている。
【００３４】
第２配線４９を通す隙間には、スポンジ１９が取り付けられ塞がれている。これにより、ＬＥＤ実装基板４に、埃や虫が侵入することを防止できる。
【００３５】
スポンジ１９を用いる事により、隙間の形状に合わせて容易に変形させながら隙間を塞ぐ事ができる。また、スポンジ１９は配線より軟らかい材料であるため、第２配線４９のダメージを低減でき短絡防止できる。さらに、スポンジ１９は接着部材で隙間を塞ぐのとは異なり、サイドカバー２を容易に何度も繰り返して取り付けたり取り外したりする事が可能である。
【００３６】
図１０は、光源格納部４０の構造を示す断面図である。
【００３７】
図１０に示されるように、光源格納部４０は、カバー１が長手方向に沿った両方の側端縁部で反射板３と係合すると共に、バネ部５がネジ６０により反射板３に固定されることにより構成されている。反射板３のカバー１側の面には、ＬＥＤ４ａを実装したＬＥＤ実装基板４が固定されている。
【００３８】
カバー１は、両方の側端縁部に係合溝１ａを有している。係合溝１ａは、カバー１の内側に水平に伸びる水平部と、この水平部と間隔をおいて平行になるように折り曲げられる折り曲げ部とを有し、水平部と折り曲げ部とで溝構造が形成される。カバー１は、ＬＥＤ４ａの光を透過する。
【００３９】
反射板３は、両方の側端縁部に係合片３ａを有している。係合片３ａは、反射板３のＬＥＤ実装基板４の固定された面と反対側の面と対向するように折り曲げられることで形成されている。
【００４０】
係合片３ａが係合溝１ａ内に差し入れられることにより、遊びをもった状態で、カバー１と反射板３とが係合する。これにより、カバー１が反射板３に対してスライドすることができる。
【００４１】
上記のように、カバー１と反射板３とが係合することにより、カバー１の落下を防止するための固定用部材（ネジ）が不必要となる。これにより、作業工数を減らすと共に、光源格納部４０の内部に埃や虫が侵入するのを防止することができる。
【００４２】
バネ部５の端部５１は、ネジ６０により固定される固定部から立ち上がるように折り曲げられている板バネの部分である。端部５１は、固定部の付近で、カバー１の係合溝１ａによって押し込まれる力に抗して広がろうとすることにより、係合溝１ａの外側端面を矢印方向に押圧するように押圧力（バネ力）を作用させている。端部５１において、係合溝１ａの外側端面に当接し、係合溝１ａに上記押圧力を作用させる部分が押圧部５１ａとなる。カバー１は、この押圧力を受けて変形することにより、係合溝１ａが反射板３の係合片３ａに押し付けられる。これにより、係合溝１ａが係合片３ａに押し当てられるので、反射板３に対するカバー１の動きが抑制される。
【００４３】
従って、係合溝１ａと係合片３ａとの係合部分におけるガタつきを解消することができると共に、光源格納部４０を電源格納部３０と接続固定するためのバネ部５を用いて、反射板３とカバー１との位置関係を固定することができる。換言すれば、バネ部５が、光源格納部４０を電源格納部３０に結合させる機能と、係合部分のガタつきを無くす機能とを兼ね備えている。よって、これらの機能を実現するために、新たな部品を用いる必要が無く、コストの削減および作業工数削減が可能となる。
【００４４】
なお、バネ部５は、端部５１の弾性によってカバー１を押圧しているが、バネ部５がカバー１を押圧する構造としては、これには限定されない。例えば、端部５１における係合溝１ａの外側端面に当接する部分に突起を設け、当該突起により係合溝１ａを押圧してもよい。このような構造では、端部５１において、バネ受け部１１と係合する部分は弾性を有する必要があるが、突起が設けられた部分は弾性を有する必要はない。
【００４５】
（サイドカバー）
図１１は、図４の（ａ）に示される光源格納部４０のサイドカバー２の構成を示す斜視図である。
【００４６】
図１２は、図１１に示されるサイドカバー２の詳細構成を示す図であって、（ａ）は上面図であり、（ｂ）は正面図であり、（ｃ）は下面図であり、（ｄ）は側面図であり、（ｅ）は（ｂ）とは反対側の正面図であり、（ｆ）は（ｂ）の範囲Ｐの拡大図であり、（ｇ）は（ｂ）のＡ−Ａ断面を示す断面図であり、（ｈ）は（ｂ）のＢ−Ｂ断面を示す断面図である。
【００４７】
図１１と、図１２の（ａ）〜（ｇ）とに示されるように、サイドカバー２は、光源格納部４０の内部に挿入される。サイドカバー２は、電源格納部３０との位置関係を定めるための位置決め部材２１を備える。ここで、サイドカバー２は、ＬＥＤの光を透過する部材であることが好ましい。
【００４８】
（カバー）
図１３は、図４の（ａ）に示される光源格納部４０のカバー１の構成を示す斜視図である。
【００４９】
図１４は、図１３に示されるカバー１の詳細構成を示す図であって、（ａ）は側面図であり、（ｂ）は正面図であり、（ｃ）は（ｂ）の範囲Ｑの拡大図である。
【００５０】
図１３と、図１４の（ａ）〜（ｂ）とに示されるように、カバー１は、一方向に湾曲している。図１４の（ｃ）に示されるように、カバー１の端部は、カバー１の内部を向いた凹部を形成している。カバー１の端部付近の部位は、所定の曲率を有するように形成されている。カバー１は、ＬＥＤの光を透過する。
【００５１】
（カバーの伸縮）
カバー１は、ポリカーボネート樹脂またはアクリル樹脂等の樹脂からなる。これらの樹脂の膨張率は、金属の膨張率より大きい。なお、カバー１は、ＬＥＤの光を透過する。
【００５２】
このため、照明装置２０またはその周囲の温度が上昇すると、カバー１が膨張し、カバー１がサイドカバー２を押圧するという現象が発生する。この結果、カバー１および／またはこのカバー１が固定される器具本体側（光源格納部４０等）に歪みが生じ、照明装置２０の長期的な信頼性が低下する虞があるという問題が発生する。
【００５３】
（カバーおよび複数のサイドカバーの詳細構成）
図５は、図１に示される照明装置２０のカバー１および複数のサイドカバー２の構成を示す正面図であって、（ａ）はカバー１に複数のサイドカバー２を取り付ける前の図であり、（ｂ）はカバー１に複数のサイドカバー２を取り付けた後の図である。
【００５４】
カバー１には、図１０に示した反射板３、および反射板３上に、ＬＥＤ４ａが実装されたＬＥＤ実装基板４を備え、上述したとおり、カバー１が反射板３に対して相対的にスライドして形成されている。
【００５５】
図５の（ａ）に示されるように、複数のサイドカバー２は、光源格納部４０の一端を覆いカバー１の一端１６に近接する第１サイドカバー１２と、光源格納部４０の他端を覆いカバー１の他端２６に近接する第２サイドカバー２２とからなっている。これらのサイドカバー２は、ＬＥＤの光を透過する部材であり、ポリカーボネート樹脂またはアクリル樹脂等の樹脂からなる。
【００５６】
第１サイドカバー１２は、被覆部１３と、カバー内接部１４と、第１位置決め部材１５と、反射板３に第１サイドカバー１２を固定する固定部１４ａとを有している。ここでは、カバー１と第１サイドカバー１２とが並ぶ方向を第１方向とする。
【００５７】
被覆部１３は、第１方向に対して垂直な面に沿って、カバー１の一端１６および光源格納部４０によって規定される開口部分（カバー１と反射板３とによって規定される開口部分の一端）を覆っている。被覆部１３は、カバー１の一端１６に対して、第１方向に設けられている。
【００５８】
カバー内接部１４は、カバー１に対する第１サイドカバー１２の位置を規定するものであり、特に、第１方向に対して垂直な方向における位置を規定するものである。また、カバー１にカバー内接部１４が内接することにより、カバー１と第１サイドカバー１２との間から、カバー１および複数のサイドカバー２によって覆われた領域内に、埃または虫等が侵入することを防いでいる。カバー内接部１４は、カバー１の一端１６に対して、第１方向に対して垂直な方向に設けられており、第１方向に延伸している。
【００５９】
第１位置決め部材１５は、電源格納部３０に対する第１サイドカバー１２の位置を規定するものである。電源格納部３０に第１位置決め部材１５挿入用の穴または窪みを設け、光源格納部４０を電源格納部３０に取り付ける際にさらに、この穴または窪みに第１位置決め部材１５を挿入すれば、電源格納部３０と第１サイドカバー１２との位置関係を容易に固定することができる。
【００６０】
ここで、図５の（ｂ）に示されるように、カバー１に複数のサイドカバー２を取り付けた後、カバー１の一端１６と第１サイドカバー１２の被覆部１３との間に、第１隙間１７が形成されている。特に、第１方向に注目すると、カバー１の一端１６と第１サイドカバー１２との間には、第１隙間１７が形成されている。なお、第１方向における第１隙間１７の長さは、０．５ｍｍ以上２ｍｍ以下であるのが好ましい。
【００６１】
第２サイドカバー２２は、被覆部２３と、カバー内接部２４と、第２位置決め部材２５と、反射板３に第２サイドカバー２２を固定する固定部２４ａとを有している。ここでは、カバー１と第２サイドカバー２２とが並ぶ方向を第２方向とする。
【００６２】
被覆部２３は、第２方向に対して垂直な面に沿って、カバー１の他端２６および光源格納部４０によって規定される開口部分（カバー１と反射板３とによって規定される開口部分の他端）を覆っている。被覆部２３は、カバー１の他端２６に対して、第２方向に設けられている。
【００６３】
カバー内接部２４は、カバー１に対する第２サイドカバー２２の位置を規定するものであり、特に、第２方向に対して垂直な方向における位置を規定するものである。また、カバー１にカバー内接部２４が内接することにより、カバー１と第２サイドカバー２２との間から、カバー１および複数のサイドカバー２によって覆われた領域内に、埃または虫等が侵入することを防いでいる。カバー内接部２４は、カバー１の他端２６に対して、第２方向に対して垂直な方向に設けられており、第２方向に延伸している。
【００６４】
第２位置決め部材２５は、電源格納部３０に対する第２サイドカバー２２の位置を規定するものである。電源格納部３０に第２位置決め部材２５挿入用の穴または窪みを設け、光源格納部４０を電源格納部３０に取り付ける際にさらに、この穴または窪みに第２位置決め部材２５を挿入すれば、電源格納部３０と第２サイドカバー２２との位置関係を容易に固定することができる。
【００６５】
ここで、図５の（ｂ）に示されるように、カバー１に複数のサイドカバー２を取り付けた後、カバー１の他端２６と第２サイドカバー２２の被覆部２３との間に、第２隙間２７が形成されている。特に、第２方向に注目すると、カバー１の他端２６と第２サイドカバー２２との間には、第２隙間２７が形成されている。なお、第２方向における第２隙間２７の長さは、０．５ｍｍ以上２ｍｍ以下であるのが好ましい。また、第１方向における第１隙間１７の長さと、第２方向における第２隙間２７の長さとが同一であるのが好ましい。
【００６６】
これにより、カバー１が膨張しても、カバー１が複数のサイドカバー２を押圧することは無い。従って、カバー１の伸縮に起因する長期的な信頼性の低下を抑制することが可能となる。
【００６７】
一方、照明装置２０またはその周囲の温度が下降し、カバー１が冷えると、カバー１が収縮することで短くなり、第１隙間１７および第２隙間２７が大きくなる。しかしながら、第１隙間１７および第２隙間２７の各サイドカバー２の部分では、それぞれ、カバー内接部１４および２４が、各サイドカバー２の他の部分と同様に光を透過して光る。このため、照明装置２０から離れた位置では、第１隙間１７および第２隙間２７が大きくなっていることが認識しにくくなっており、実用上、特段の不具合は生じない。
【００６８】
図６の（ａ）に第１位置決め部材１５と反対側から見た、第１隙間１７およびその近傍の写真を示し、図６の（ｂ）に第２位置決め部材２５側から見た、第２隙間２７およびその近傍の写真を示した。
【００６９】
〔実施の形態２〕
図７は、複数の従来の照明装置５０を各照明装置５０の長手方向に連接した状態と、複数の図１に示された照明装置２０を各照明装置２０の長手方向に連接した状態とを比較する図である。
【００７０】
図７に示された各照明装置５０は、カバーの天井面および側面が一体となっている構造である。このような各照明装置５０をその長手方向に連接する場合、上述したカバーの膨張を考慮し、各照明装置５０を互いに十分間隔を空けて配置する必要がある（図７の間隔５１）。この結果、図７に示される全ての照明装置５０を１つの光源としてみた場合、この光源が発する光は破線状に（照明装置５０毎に光が離散して）見えるため、光源としての見栄えが良くなく、光源としての品位は低い。
【００７１】
一方、各照明装置２０をその長手方向に連接する場合、カバー１が膨張しても、カバー１が第１サイドカバー１２または第２サイドカバー２２を押圧することは無い。従って、この場合、隣接する照明装置２０の間隔を、隣接する照明装置５０の間隔５１より小さくすることができる（図７の間隔５２）。また、図示はしていないが、隣接する照明装置２０の間隔５２を無くすことも可能である。この結果、図７に示される全ての照明装置２０を１つの光源としてみた場合、この光源が発する光は実線状に（各照明装置２０からの光が連続して）見えるため、光源としての見栄えを良くし、光源としての品位を向上させることができる。これは、照明装置２０のカバー１が膨張しても、カバー１は、第１隙間１７および第２隙間２７を狭めるに過ぎず、カバー１の膨張に応じて照明装置２０全体の長さがほとんど変わらないことによる。
【００７２】
〔実施の形態３〕
図８は、第１位置決め部材１５および第２位置決め部材２５を用いて、光源格納部４０を電源格納部３０に取り付ける前の図であって、（ａ）は正面図であり、（ｂ）は立体斜視図である。
【００７３】
上述したとおり、第１サイドカバー１２および第２サイドカバー２２には、それぞれ、第１位置決め部材１５および第２位置決め部材２５が設けられている。
【００７４】
図８に示されるように、電源格納部３０に第１位置決め部材１５および第２位置決め部材２５挿入用の穴６１を設け、光源格納部４０を電源格納部３０に取り付ける際にさらに、この穴６１に第１位置決め部材１５および第２位置決め部材２５を挿入する。これにより、電源格納部３０と第１サイドカバー１２および第２サイドカバー２２との位置関係を容易に固定することができ、ひいては、電源格納部３０と光源格納部４０との位置関係を容易に固定することができる。
【００７５】
例えば、電源格納部３０を部屋等の天井に設置した後、電源格納部３０に光源格納部４０を取り付ける場合、高所での作業を伴い、概して作業性が悪い。第１位置決め部材１５および第２位置決め部材２５を用いて電源格納部３０と光源格納部４０との位置関係を固定することで、位置関係の固定を容易にし、作業性の改善を図ることができる。
【００７６】
また、第１位置決め部材１５および第２位置決め部材２５を、それぞれ、第１サイドカバー１２および第２サイドカバー２２に設けることにより、別途位置決め用の部材を用意する必要が無くなり、コスト削減および作業工数削減が可能となる。
【００７７】
図９の（ａ）に第１位置決め部材１５の写真を示し、図９の（ｂ）に第１位置決め部材１５を穴６１に挿入する前の写真を示し、図９の（ｃ）に第１位置決め部材１５を穴６１に挿入した後の写真を示した。
【００７８】
〔付記事項〕
例えば、カバー１の他端２６において、天井面および側面が一体となっている構造である場合、第２サイドカバー２２は省略されてもよい。
【００７９】
また、カバー１が一端１６および他端２６以外の覆うべき端部を有している場合、この端部を覆うサイドカバー２をさらに設けてもよい。
【００８０】
また、サイドカバー２として、第１サイドカバー１２および第２サイドカバー２２の両方を設ける場合であっても、第２隙間（隙間）２７が形成されていなくてもよい。この場合、第１隙間１７の間隔を、第２隙間２７が形成される場合の２倍程度に設定すればよい。これにより、光源格納部４０の組立を簡略化することができ、また、光源格納部４０の製造ばらつきを抑制することができる。
【００８１】
〔まとめ〕
本発明の態様１に係る光源格納部材は、光源（ＬＥＤ４ａ）と、上記光源が実装される光源実装基板（ＬＥＤ実装基板４）と、上記光源実装基板が固定され、上記光源から出射される光を反射する反射板と、上記光源を被覆するカバーと、上記カバーと上記反射板とによって規定される開口部分の一端を覆う第１サイドカバーと、上記カバーと上記反射板とによって規定される開口部分の他端を覆う第２サイドカバーとを備えており、上記カバーと上記第１サイドカバーとが並ぶ第１方向において、上記カバーの一端と上記第１サイドカバーとの間に第１隙間が形成されている。
【００８２】
上記の構成によれば、カバーが膨張しても、カバーが第１サイドカバーを押圧することは無い。従って、カバーの伸縮に起因する長期的な信頼性の低下を抑制することが可能となる。
【００８３】
本発明の態様２に係る光源格納部材は、上記態様１において、上記カバーと上記第２サイドカバーとが並ぶ第２方向において、上記カバーの他端と上記第２サイドカバーとの間に第２隙間が形成されている。
【００８４】
上記の構成によれば、カバーが膨張しても、カバーが第２サイドカバーを押圧することは無い。従って、カバーの伸縮に起因する長期的な信頼性の低下を抑制することが可能となる。
【００８５】
本発明の態様３に係る光源格納部材は、上記態様１において、上記カバーと上記第２サイドカバーとが並ぶ第２方向において、上記カバーの他端と上記第２サイドカバーとの間に隙間（第２隙間２７）が形成されていない。
【００８６】
上記の構成によれば、光源格納部材の組立を簡略化することができ、また、光源格納部材の製造ばらつきを抑制することができる。
【００８７】
本発明の態様４に係る光源格納部材は、上記態様１から３のいずれかにおいて、上記カバーは、ポリカーボネート樹脂またはアクリル樹脂からなる。
【００８８】
上記の構成によれば、第１隙間および第２隙間が形成されていることによる機能を最大限に得ることができる。
【００８９】
本発明の態様５に係る光源格納部材は、上記態様１から４のいずれかにおいて、上記第１サイドカバーは、上記光源格納部材が取り付けられる電源格納部に対する上記第１サイドカバーの位置を規定する第１位置決め部材を備えている。
【００９０】
上記の構成によれば、電源格納部に第１位置決め部材挿入用の穴または窪みを設け、光源格納部材を電源格納部に取り付ける際にさらに、この穴または窪みに第１位置決め部材を挿入する。これにより、電源格納部と第１サイドカバーとの位置関係を容易に固定することができ、ひいては、電源格納部と光源格納部材との位置関係を容易に固定することができる。
【００９１】
さらに、本発明は、下記のように解釈することもできる。
【００９２】
本発明に係る照明装置は、光源が実装された光源実装基板（ＬＥＤ実装基板４）を格納する光源格納部と、上記光源実装基板を覆うカバーと、上記光源格納部の一端を覆う第１サイドカバーとを備えており、上記カバーと上記第１サイドカバーとが並ぶ第１方向において、上記カバーの一端と上記第１サイドカバーとの間に第１隙間が形成されていてもよい。
【００９３】
上記の構成によれば、カバーが膨張しても、カバーが第１サイドカバーを押圧することは無い。従って、カバーの伸縮に起因する長期的な信頼性の低下を抑制することが可能となる。
【００９４】
本発明に係る照明装置は、上記光源格納部の他端を覆う第２サイドカバーをさらに備えており、上記カバーと上記第２サイドカバーとが並ぶ第２方向において、上記カバーの他端と上記第２サイドカバーとの間に第２隙間が形成されていてもよい。
【００９５】
上記の構成によれば、カバーが膨張しても、カバーが第２サイドカバーを押圧することは無い。従って、カバーの伸縮に起因する長期的な信頼性の低下を抑制することが可能となる。
【００９６】
本発明に係る照明装置は、上記第１方向における上記第１隙間の長さと、上記第２方向における上記第２隙間の長さとが同一であってもよい。
【００９７】
本発明に係る照明装置は、上記第１方向における上記第１隙間の長さ、および、上記第２方向における上記第２隙間の長さは、いずれも０．５ｍｍ以上２ｍｍ以下であってもよい。
【００９８】
本発明に係る照明装置は、上記第１方向における上記第１隙間の長さは、０．５ｍｍ以上４ｍｍ以下であってもよい。
【００９９】
本発明に係る照明装置は、上記第２サイドカバーは、上記光源格納部が取り付けられる電源格納部に対する上記第２サイドカバーの位置を規定する第２位置決め部材を備えていてもよい。
【０１００】
上記の構成によれば、電源格納部に第２位置決め部材挿入用の穴または窪みを設け、光源格納部を電源格納部に取り付ける際にさらに、この穴または窪みに第２位置決め部材を挿入する。これにより、電源格納部と第２サイドカバーとの位置関係を容易に固定することができ、ひいては、電源格納部と光源格納部との位置関係を容易に固定することができる。
【０１０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０２】
本発明は、光源を格納する光源格納部材に利用することができる。
【符号の説明】
【０１０３】
１  カバー
２  サイドカバー
４  ＬＥＤ実装基板（光源実装基板）
４ａ  ＬＥＤ（光源）
８  電源部（電源）
１２  第１サイドカバー
１５  第１位置決め部材
１６  カバーの一端
１７  第１隙間
２０  照明装置
２２  第２サイドカバー
２５  第２位置決め部材
２６  カバーの他端
２７  第２隙間
３０  電源格納部
４０  光源格納部
【図１】
2016052481.tif 000003
【図２】
2016052481.tif 000004
【図３】
2016052481.tif 000005
【図４】
2016052481.tif 000006
【図５】
2016052481.tif 000007
【図６】
2016052481.tif 000008
【図７】
2016052481.tif 000009
【図８】
2016052481.tif 000010
【図９】
2016052481.tif 000011
【図１０】
2016052481.tif 000012
【図１１】
2016052481.tif 000013
【図１２】
2016052481.tif 000014
【図１３】
2016052481.tif 000015
【図１４】
2016052481.tif 000016
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
光源と、
上記光源が実装される光源実装基板と、
上記光源実装基板が固定され、上記光源から出射される光を反射する反射板と、
上記光源を被覆するカバーと、
上記カバーと上記反射板とによって規定される開口部分の一端を覆う第１サイドカバーと、
上記カバーと上記反射板とによって規定される開口部分の他端を覆う第２サイドカバーとを備えており、
上記カバーと上記第１サイドカバーとが並ぶ第１方向において、上記カバーの一端と上記第１サイドカバーとの間に第１隙間が形成されている光源格納部材であって、
上記第１サイドカバーは、上記光源格納部材が取り付けられる電源格納部に対する上記第１サイドカバーの位置を規定する第１位置決め部材を備えており、
上記第１位置決め部材は、ポリカーボネート樹脂またはアクリル樹脂からなることを特徴とする光源格納部材。
【請求項２】
上記カバーと上記第２サイドカバーとが並ぶ第２方向において、上記カバーの他端と上記第２サイドカバーとの間に第２隙間が形成されていることを特徴とする請求項１に記載の光源格納部材。
【請求項３】
上記カバーと上記第２サイドカバーとが並ぶ第２方向において、上記カバーの他端と上記第２サイドカバーとの間に隙間が形成されていないことを特徴とする請求項１に記載の光源格納部材。
【請求項４】
上記カバーは、ポリカーボネート樹脂またはアクリル樹脂からなることを特徴とする請求項１から３のいずれか１項に記載の光源格納部材。
【手続補正２】
【補正対象書類名】明細書
【補正対象項目名】０００９
【補正方法】変更
【補正の内容】
【０００９】
上記の課題を解決するために、本発明の一態様に係る光源格納部材は、光源と、上記光源が実装される光源実装基板と、上記光源実装基板が固定され、上記光源から出射される光を反射する反射板と、上記光源を被覆するカバーと、上記カバーと上記反射板とによって規定される開口部分の一端を覆う第１サイドカバーと、上記カバーと上記反射板とによって規定される開口部分の他端を覆う第２サイドカバーとを備えており、上記カバーと上記第１サイドカバーとが並ぶ第１方向において、上記カバーの一端と上記第１サイドカバーとの間に第１隙間が形成されている光源格納部材であって、上記第１サイドカバーは、上記光源格納部材が取り付けられる電源格納部に対する上記第１サイドカバーの位置を規定する第１位置決め部材を備えており、上記第１位置決め部材は、ポリカーボネート樹脂またはアクリル樹脂からなることを特徴としている。
【国際調査報告】
2016052481.tif 000017
2016052481.tif 000018
2016052481.tif 000019
2016052481.tif 000020